(57)【要約】【課題】接続対象機器へのケーブルの誤結線を容易に防止することができる誤結線防止具を提供する。【解決手段】赤相、白相および青相機器側クリップ２１Ｒ，２１Ｗ，２１Ｂと赤相、白相および青相引張バネ２２Ｒ，２２Ｗ，２２Ｂと赤相、白相および青相機器側接続具２３Ｒ，２３Ｗ，２３Ｂとを備えた赤相、白相および青相機器側部２０Ｒ，２０Ｗ，２０Ｂと、赤相、白相および青相ケーブル側クリップ３１Ｒ，３１Ｗ，３１Ｂと赤相、白相および青相紐３２Ｒ，３２Ｗ，３２Ｂと赤相、白相および青相ケーブル側接続具３３Ｒ，３３Ｗ，３３Ｂとを備えた赤相、白相および青相ケーブル側部３０Ｒ，３０Ｗ，３０Ｂとの２分割構造にされており、赤相、白相および青相機器側接続具２３Ｒ，２３Ｗ，２３Ｂと赤相、白相および青相ケーブル側接続具３３Ｒ，３３Ｗ，３３Ｂとは、同じ相のもの同士でなければ接続できないように異なる外径とされている。【選択図】図１
2020114096.tif 000002
【特許請求の範囲】
【請求項１】
複数本のケーブルを接続対象機器に誤って接続することを防止するための誤結線防止具（１０）であって、
機器側部と、
ケーブル側部とを具備し、
前記機器側部が、
前記接続対象機器の複数のケーブル接続部の近傍にそれぞれ取り付けられる、かつ、前記複数本のケーブルを区別するための識別表示がそれぞれ付された複数の機器側取付具と、
前記複数本のケーブルを区別するための前記識別表示がそれぞれ付された複数の機器側接続具と、
前記複数の機器側取付具と前記複数の機器側接続具との間にそれぞれ取り付けられた複数の伸縮具とを備え、
前記ケーブル側部が、
前記複数本のケーブルにそれぞれ取り付けられる、かつ、前記識別表示がそれぞれ付された複数のケーブル側取付具と、
前記複数のケーブル側取付具とそれぞれ繋がれた、かつ、前記識別表示がそれぞれ付された複数のケーブル側接続具とを備え、
前記複数の機器側接続具と前記複数のケーブル側接続具とが、同じ前記識別表示が付されたもの同士しか接続できないようにされている、
ことを特徴とする、誤結線防止具。
【請求項２】
前記接続対象機器が、工事用開閉器（１１０）であり、
前記識別表示が、赤色、白色および青色であり、
前記複数のケーブル接続部が、前記工事用開閉器の側面に並設された赤相、白相および青相ブッシング（１１２Ｒ，１１２Ｗ，１１２Ｂ；１１３Ｒ，１１３Ｗ，１１３Ｂ）であり、
前記複数本のケーブルが、一端部に赤相、白相および青相コネクタ（１３１Ｒ，１３１Ｗ，１３１Ｂ；１３２Ｒ，１３２Ｗ，１３２Ｂ）がそれぞれ取り付けられた赤相、白相および青相付属ケーブル（１２１Ｒ，１２１Ｗ，１２１Ｂ；１２２Ｒ，１２２Ｗ，１２２Ｂ）であり、
前記複数の機器側取付具が、前記工事用開閉器の前記赤相、白相および青相ブッシング近傍にそれぞれ取り付けられる、かつ、赤色、白色および青色がそれぞれ付された赤相、白相および青相機器側取付具（２１Ｒ，２１Ｗ，２１Ｂ）であり、
前記複数の機器側接続具が、赤色、白色および青色がそれぞれ付された円柱状の赤相、白相および青相機器側接続具（２３Ｒ，２３Ｗ，２３Ｂ）であり、
前記複数の伸縮具が、前記赤相、白相および青相機器側取付具と前記赤相、白相および青相機器側接続具との間にそれぞれ取り付けられた赤相、白相および青相伸縮具（２２Ｒ，２２Ｗ，２２Ｂ）であり、
前記複数のケーブル側取付具が、赤色、白色および青色がそれぞれ付された赤相、白相および青相ケーブル側取付具（３１Ｒ，３１Ｗ，３１Ｂ）であり、
前記複数のケーブル側接続具が、赤色、白色および青色がそれぞれ付された円柱状の赤相、白相および青相ケーブル側接続具（３３Ｒ，３３Ｗ，３３Ｂ）であり、
前記赤相、白相および青相機器側接続具が、異なる外径とされており、
前記赤相、白相および青相ケーブル側接続具が、異なる外径とされているとともに、前記赤相、白相および青相機器側接続具を挿入するための赤相、白相および青相挿入穴がそれぞれ形成されている、
ことを特徴とする、請求項１記載の誤結線防止具。
【請求項３】
前記赤相、白相および青相挿入穴が、前記赤相、白相および青相機器側接続具をそれぞれ挿入できるように開口面の径（ｄ１〜ｄ３）が前記赤相、白相および青相機器側接続具の外径（Ｄ１，Ｄ３，Ｄ５）よりも若干大きくされているとともに、前記赤相、白相および青相機器側接続具をそれぞれ挿入したときに摩擦抵抗で容易に抜けないように底面の径（ｄ１’〜ｄ３’）が前記赤相、白相および青相機器側接続具の前記外径よりも若干小さくされて、開口面から底面に向かって径が直線的に小さくなるようにテーパが施されていることを特徴とする、請求項２記載の誤結線防止具。
【請求項４】
前記赤相機器側取付具と前記白相機器側取付具との間に取り付けられた赤白相連結紐（４１）と、
前記白相機器側取付具と前記青相機器側取付具との間に取り付けられた白青相連結紐（４２）とをさらに具備する、
ことを特徴とする、請求項２または３記載の誤結線防止具。
【発明の詳細な説明】
【技術分野】
【０００１】
本発明は、工事用開閉器への付属ケーブル接続作業等に用いるのに好適な誤結線防止具に関する。
【背景技術】
【０００２】
電柱や変圧器等の工事（取換工事や増設工事等）をする際には、工事区間のみを停電させる停電作業を行っている。
このような停電作業では、作業者は、工事区間よりも一次側（古番側）および二次側（若番側）の高圧配電線路（３相）に一次側および二次側付属ケーブル（工事用開閉器ケーブル）を手作業でそれぞれ接続するが、一次側および二次側付属ケーブルを直接に接続すると両者が直ちに充電状態になり危険であるため、工事用開閉器を電柱に取り付け、一次側および二次側付属ケーブルを工事用開閉器を介して接続するようにしている。
【０００３】
しかし、高圧配電線路は３相であるため、一次側および二次側付属ケーブルも３本ずつとなり、作業者が一次側および二次側付属ケーブルを工事用開閉器に誤って結線（接続）すると停電事故のリスクが発生するという問題があった。
【０００４】
そのため、工事用開閉器と一次側および二次側付属ケーブルとに相ごとの色表示を施したり、チェック表等による結線確認を行ったり、作業者および作業責任者相互による結線確認を行ったりしている。
【０００５】
なお、本出願人は、下記の特許文献１において、工事用開閉器の一次側および二次側ブッシングと一次側および二次側付属ケーブルの接続具とを係合部の構成および配置を相ごとに異ならせることで同じ相同士のみが係合可能にするとともに、一次側および二次側付属ケーブルの接続具にその軸方向にスライドするスライド部材を外装して、スライド部材と一次側および二次側ブッシングとを係合可能にした、工事用開閉器とケーブルとの接続構造を提案している。
また、本出願人は、下記の特許文献２において、工事用開閉器の一次側および二次側ブッシングに一次側および二次側付属ケーブルの芯線が挿通される中心孔を有する異なる円錐台形状の突起を備えさせ、一次側および二次側付属ケーブルに一次側および二次側ブッシングの突起と嵌合する異なる円錐台形状の窪みを有するコネクタを備えさせた、接続装置を提案している。
さらに、本出願人は、下記の特許文献３において、一次側および二次側付属ケーブルに装着されるアダプタと一次側および二次側ブッシングに装着されるアダプタとを３相分備え、一次側および二次側付属ケーブルが導通するように同じ相のアダプタ同士が接続可能であるとともに異なる相のアダプタ同士が接続不可能である形状をアダプタが呈するようにした、工事用開閉器の接続装置を提案している。
【先行技術文献】
【特許文献】
【０００６】
【特許文献１】特開２０１７−１４２８８１号公報
【特許文献２】特開２０１２−１９６３０号公報
【特許文献３】特開２０１１−１６６８８９号公報
【発明の概要】
【発明が解決しようとする課題】
【０００７】
しかしながら、上述した誤結線確認手法では、以下に示すような問題があった。
（１）工事用開閉器と一次側および二次側付属ケーブルとに相ごとの色表示を施す手法では、工事用開閉器と一次側および二次側付属ケーブルとの接続構造がすべての相で同じであるため異相でも接続できてしまうことから、柱上作業における作業者のヒューマンエラーによる誤結線を防止することが難しい。
（２）チェック表等による結線確認を行う手法や作業者および作業責任者相互による結線確認を行う手法では、形骸化する可能性が高いため、誤結線を防止することが難しい。
【０００８】
なお、上記の特許文献１〜３で提案したものは、工事用開閉器と一次側および二次側付属ケーブルとを改良する必要がある。
【０００９】
本発明の目的は、接続対象機器へのケーブルの誤結線を容易に防止することができる誤結線防止具を提供することにある。
【課題を解決するための手段】
【００１０】
本発明の誤結線防止具は、複数本のケーブルを接続対象機器に誤って接続することを防止するための誤結線防止具（１０）であって、機器側部と、ケーブル側部とを具備し、前記機器側部が、前記接続対象機器の複数のケーブル接続部の近傍にそれぞれ取り付けられる、かつ、前記複数本のケーブルを区別するための識別表示がそれぞれ付された複数の機器側取付具と、前記複数本のケーブルを区別するための前記識別表示がそれぞれ付された複数の機器側接続具と、前記複数の機器側取付具と前記複数の機器側接続具との間にそれぞれ取り付けられた複数の伸縮具とを備え、前記ケーブル側部が、前記複数本のケーブルにそれぞれ取り付けられる、かつ、前記識別表示がそれぞれ付された複数のケーブル側取付具と、前記複数のケーブル側取付具とそれぞれ繋がれた、かつ、前記識別表示がそれぞれ付された複数のケーブル側接続具とを備え、前記複数の機器側接続具と前記複数のケーブル側接続具とが、同じ前記識別表示が付されたもの同士しか接続できないようにされていることを特徴とする。
ここで、前記接続対象機器が、工事用開閉器（１１０）であり、前記識別表示が、赤色、白色および青色であり、前記複数のケーブル接続部が、前記工事用開閉器の側面に並設された赤相、白相および青相ブッシング（１１２Ｒ，１１２Ｗ，１１２Ｂ；１１３Ｒ，１１３Ｗ，１１３Ｂ）であり、前記複数本のケーブルが、一端部に赤相、白相および青相コネクタ（１３１Ｒ，１３１Ｗ，１３１Ｂ；１３２Ｒ，１３２Ｗ，１３２Ｂ）がそれぞれ取り付けられた赤相、白相および青相付属ケーブル（１２１Ｒ，１２１Ｗ，１２１Ｂ；１２２Ｒ，１２２Ｗ，１２２Ｂ）であり、前記複数の機器側取付具が、前記工事用開閉器の前記赤相、白相および青相ブッシング近傍にそれぞれ取り付けられる、かつ、赤色、白色および青色がそれぞれ付された赤相、白相および青相機器側取付具（２１Ｒ，２１Ｗ，２１Ｂ）であり、前記複数の機器側接続具が、赤色、白色および青色がそれぞれ付された円柱状の赤相、白相および青相機器側接続具（２３Ｒ，２３Ｗ，２３Ｂ）であり、前記複数の伸縮具が、前記赤相、白相および青相機器側取付具と前記赤相、白相および青相機器側接続具との間にそれぞれ取り付けられた赤相、白相および青相伸縮具（２２Ｒ，２２Ｗ，２２Ｂ）であり、前記複数のケーブル側取付具が、赤色、白色および青色がそれぞれ付された赤相、白相および青相ケーブル側取付具（３１Ｒ，３１Ｗ，３１Ｂ）であり、前記複数のケーブル側接続具が、赤色、白色および青色がそれぞれ付された円柱状の赤相、白相および青相ケーブル側接続具（３３Ｒ，３３Ｗ，３３Ｂ）であり、前記赤相、白相および青相機器側接続具が、異なる外径とされており、前記赤相、白相および青相ケーブル側接続具が、異なる外径とされているとともに、前記赤相、白相および青相機器側接続具を挿入するための赤相、白相および青相挿入穴がそれぞれ形成されていてもよい。
前記赤相、白相および青相挿入穴が、前記赤相、白相および青相機器側接続具をそれぞれ挿入できるように開口面の径（ｄ１〜ｄ３）が前記赤相、白相および青相機器側接続具の外径（Ｄ１，Ｄ３，Ｄ５）よりも若干大きくされているとともに、前記赤相、白相および青相機器側接続具をそれぞれ挿入したときに摩擦抵抗で容易に抜けないように底面の径（ｄ１’〜ｄ３’）が前記赤相、白相および青相機器側接続具の前記外径よりも若干小さくされて、開口面から底面に向かって径が直線的に小さくなるようにテーパが施されていてもよい。
前記赤相機器側取付具と前記白相機器側取付具との間に取り付けられた赤白相連結紐（４１）と、前記白相機器側取付具と前記青相機器側取付具との間に取り付けられた白青相連結紐（４２）とをさらに具備してもよい。
【発明の効果】
【００１１】
本発明の誤結線防止具は、以下に示す効果を奏する。
（１）複数の機器側接続具および複数のケーブル側接続具を同じ識別表示が付されたもの同士しか接続できないようにすることにより、接続対象機器へのケーブルの誤結線（工事用開閉器への付属ケーブルの誤結線等）を容易に防止することができる。
（２）作業者等のヒューマンエラーによる停電の未然防止を図ることができる。
（３）業務品質および工事品質の向上を図ることができる。
【図面の簡単な説明】
【００１２】
【図１】本発明の一実施例による誤結線防止具１０の構成を示す正面図である。
【図２】図１に示した赤相、白相および青相機器側接続具２３Ｒ，２３Ｗ，２３Ｂと赤相、白相および青相ケーブル側接続具３３Ｒ，３３Ｗ，３３Ｂの構成について説明するための正面図である。
【図３】図１に示した誤結線防止具１０の技術的効果の一例について説明するための正面図である。
【図４】工事用開閉器１１０への付属ケーブル接続作業における図１に示した誤結線防止具１０の使用方法について説明するための正面図である。
【図５】図１に示した誤結線防止具１０に赤白相および白青相連結紐４１，４２を追加した構成について説明するための正面図である。
【発明を実施するための形態】
【００１３】
上記の目的を、機器側部およびケーブル側部に２分割できる構造として、同じ識別表示が付された機器側接続具およびケーブル側接続具同士しか接続できないようにすることにより実現した。
【実施例１】
【００１４】
以下、本発明の誤結線防止具の実施例について図面を参照して説明する。
本発明の誤結線防止具は、以下に示す特徴を有する。
（１）接続対象機器が工事用開閉器である場合には、付属ケーブル（一次側または二次側付属ケーブル）を工事用開閉器に接続したのちに結線確認を行うためのものであり、相ごとの識別表示（たとえば、異なる色）が施された機器側部およびケーブル側部の２分割構造とされている。
（２）機器側部は機器側取付具、伸縮具および機器側接続具から構成されており、ケーブル側部はケーブル側取付具およびケーブル側接続具から構成されている。
（３）機器側取付具を工事用開閉器に取り付けるとともにケーブル側取付具を付属ケーブルに取り付けて、機器側接続具とケーブル側接続具とを接続して結線確認するが、機器側接続具およびケーブル側接続具は相ごとに異なる大きさにされており、同じ相のもの同士でなければ物理的に接続できない構造とされている。
これにより、付属ケーブルを工事用開閉器に誤って接続すると、機器側部の伸縮具が交差するため、視認性を向上させて誤結線を容易に見つけることができる。
【００１５】
そのため、本発明の一実施例による誤結線防止具１０は、図１に示すように、機器側部として赤相、白相および青相機器側部２０Ｒ，２０Ｗ，２０Ｂを具備し、ケーブル側部として赤相、白相および青相ケーブル側部３０Ｒ，３０Ｗ，３０Ｂを具備する。
【００１６】
ここで、赤相機器側部２０Ｒは、外面が赤色にされた赤相機器側クリップ２１Ｒ（機器側取付具）と、赤相引張バネ２２Ｒ（伸縮具）と、外面が赤色にされた赤相機器側接続具２３Ｒ（機器側接続具）とを備える。
【００１７】
赤相引張バネ２２Ｒの左端部には左赤相リング状部材が取り付けられており、赤相引張バネ２２Ｒの右端部には右赤相リング状部材（図２（ａ）の点線参照）が取り付けられている。
【００１８】
赤相機器側接続具２３Ｒは、図２（ａ）に示すように、外径Ｄ１の円柱状の赤相本体２３ａＲと、赤相本体２３ａＲの左端面部に形成された穴の底面の中央部に取り付けられた赤相バネ取付部材２３ｂＲとを備える。
【００１９】
赤相引張バネ２２Ｒの左端部は左赤相リング状部材を介して赤相機器側クリップ２１Ｒに取り付けられており、赤相引張バネ２２Ｒの右端部は右赤相リング状部材および赤相バネ取付部材２３ｂＲを介して赤相機器側接続具２３Ｒに取り付けられている。
【００２０】
赤相ケーブル側部３０Ｒは、外面が赤色にされた赤相ケーブル側クリップ３１Ｒ（ケーブル側取付具）と、赤相紐３２Ｒと、外面が赤色にされた赤相ケーブル側接続具３３Ｒ（ケーブル側接続具）とを備える。
【００２１】
赤相紐３２Ｒは、赤相ケーブル側クリップ３１Ｒと赤相ケーブル側接続具３３Ｒとを繋げるためのものであり、その右端部は赤相ケーブル側クリップ３１Ｒに取り付けられているとともに、その左端部は赤相ケーブル側接続具３３Ｒの右端面の中央部に取り付けられている。
【００２２】
赤相ケーブル側接続具３３Ｒは、図２（ｂ）に示すように、外径Ｄ２の円柱状の部材であり、その左端面部には赤相機器側接続具２３Ｒを挿入するための赤相挿入穴が形成されている。
赤相挿入穴は、図２（ｃ）に示すように赤相機器側接続具２３Ｒを挿入できるように開口面の径ｄ１が赤相機器側接続具２３Ｒの外径Ｄ１よりも若干大きくされているが、赤相機器側接続具２３Ｒを挿入したときに摩擦抵抗で容易に抜けないように底面の径ｄ１’が赤相機器側接続具２３Ｒの外径Ｄ１よりも若干小さくされて、開口面から底面に向かって径が直線的に小さくなるようにテーパが施されている。
【００２３】
白相機器側部２０Ｗは、外面が白色にされた白相機器側クリップ２１Ｗ（機器側取付具）と、白相引張バネ２２Ｗ（伸縮具）と、外面が白色にされた白相機器側接続具２３Ｗ（機器側接続具）とを備える。
【００２４】
白相引張バネ２２Ｗの左端部には左白相リング状部材が取り付けられており、白相引張バネ２２Ｗの右端部には右白相リング状部材（図２（ｄ）の点線参照）が取り付けられている。
【００２５】
白相機器側接続具２３Ｗは、図２（ｄ）に示すように、外径Ｄ３の円柱状の白相本体２３ａＷと、白相本体２３ａＷの左端面部に形成された穴の底面の中央部に取り付けられた白相バネ取付部材２３ｂＷとを備える。
【００２６】
白相引張バネ２２Ｗの左端部は左白相リング状部材を介して白相機器側クリップ２１Ｗに取り付けられており、白相引張バネ２２Ｗの右端部は右白相リング状部材および白相バネ取付部材２３ｂＷを介して白相機器側接続具２３Ｗに取り付けられている。
【００２７】
白相ケーブル側部３０Ｗは、外面が白色にされた白相ケーブル側クリップ３１Ｗ（ケーブル側取付具）と、白相紐３２Ｗと、外面が白色にされた白相ケーブル側接続具３３Ｗ（ケーブル側接続具）とを備える。
【００２８】
白相紐３２Ｗは、白相ケーブル側クリップ３１Ｗと白相ケーブル側接続具３３Ｗとを繋げるためのものであり、その右端部は白相ケーブル側クリップ３１Ｗに取り付けられているとともに、その左端部は白相ケーブル側接続具３３Ｗの右端面の中央部に取り付けられている。
【００２９】
白相ケーブル側接続具３３Ｗは、図２（ｅ）に示すように、外径Ｄ４の円柱状の部材であり、その左端面部には白相機器側接続具２３Ｗを挿入するための白相挿入穴が形成されている。
白相挿入穴は、図２（ｆ）に示すように白相機器側接続具２３Ｗを挿入できるように開口面の径ｄ２が白相機器側接続具２３Ｗの外径Ｄ３よりも若干大きくされているが、白相機器側接続具２３Ｗを挿入したときに摩擦抵抗で容易に抜けないように底面の径ｄ２’が白相機器側接続具２３Ｗの外径Ｄ３よりも若干小さくされて、開口面から底面に向かって径が直線的に小さくなるようにテーパが施されている。
【００３０】
青相機器側部２０Ｂは、外面が青色にされた青相機器側クリップ２１Ｂ（機器側取付具）、青相引張バネ２２Ｂと（伸縮具）と、外面が青色にされた青相機器側接続具２３Ｂ（機器側接続具）とを備える。
【００３１】
青相引張バネ２２Ｂの左端部には左青相リング状部材が取り付けられており、青相引張バネ２２Ｂの右端部には右青相リング状部材（図２（ｇ）の点線参照）が取り付けられている。
【００３２】
青相機器側接続具２３Ｂは、図２（ｇ）に示すように、外径Ｄ５の円柱状の青相本体２３ａＢと、青相本体２３ａＢの左端面部に形成された穴の底面の中央部に取り付けられた青相バネ取付部材２３ｂＢとを備える。
【００３３】
青相引張バネ２２Ｂの左端部は左青相リング状部材を介して青相機器側クリップ２１Ｂに取り付けられており、青相引張バネ２２Ｂの右端部は右青相リング状部材および青相バネ取付部材２３ｂＢを介して青相機器側接続具２３Ｂに取り付けられている。
【００３４】
青相ケーブル側部３０Ｂは、外面が青色にされた青相ケーブル側クリップ３１Ｂ（ケーブル側取付具）と、青相紐３２Ｂと、外面が青色にされた青相ケーブル側接続具３３Ｂ（ケーブル側接続具）とを備える。
【００３５】
青相紐３２Ｂは、青相ケーブル側クリップ３１Ｂと青相ケーブル側接続具３３Ｂとを繋げるするためのものであり、その右端部は青相ケーブル側クリップ３１Ｂに取り付けられているとともに、その左端部は青相ケーブル側接続具３３Ｂの右端面の中央部に取り付けられている。
【００３６】
青相ケーブル側接続具３３Ｂは、図２（ｈ）に示すように、外径Ｄ６の円柱状の部材であり、その左端面部には青相機器側接続具２３Ｂを挿入するための青相挿入穴が形成されている。
青相挿入穴は、図２（ｉ）に示すように青相機器側接続具２３Ｂを挿入できるように開口面の径ｄ３が青相機器側接続具２３Ｂの外径Ｄ５よりも若干大きくされているが、青相機器側接続具２３Ｂを挿入したときに摩擦抵抗で容易に抜けないように底面の径ｄ３’が青相機器側接続具２３Ｂの外径Ｄ５よりも若干小さくされて、開口面から底面に向かって径が直線的に小さくなるようにテーパが施されている。
【００３７】
なお、赤相機器側接続具２３Ｒの外径Ｄ１は白相機器側接続具２３Ｗの外径Ｄ３よりも大きくされているとともに、白相機器側接続具２３Ｗの外径Ｄ３は青相機器側接続具２３Ｂの外径Ｄ５よりも大きくされている（すなわち、Ｄ１＞Ｄ３＞Ｄ５）。
【００３８】
これにより、赤相、白相および青相機器側接続具２３Ｒ，２３Ｗ，２３Ｂを赤相、白相および青相ケーブル側接続具３３Ｒ，３３Ｗ，３３Ｂにそれぞれ挿入した場合には、図３（ａ）に示すように赤相、白相および青相機器側部２０Ｒ，２０Ｗ，２０Ｂと赤相、白相および青相ケーブル側部３０Ｒ，３０Ｗ，３０Ｂとをそれぞれ接続することができる。
【００３９】
しかし、赤相機器側接続具２３Ｒを白相ケーブル側接続具３３Ｗまたは青相ケーブル側接続具３３Ｂに挿入しようとしても、赤相機器側接続具２３Ｒの外径Ｄ１は白相ケーブル側接続具３３Ｗの白相挿入穴の開口面の径ｄ２および青相ケーブル側接続具３３Ｂの青相挿入穴の開口面の径ｄ３よりも大きい（すなわち、Ｄ１＞ｄ２，Ｄ１＞ｄ３）ため挿入することができないので、赤相機器側部２０Ｒを白相または青相ケーブル側部３０Ｗ，３０Ｂに接続することはできない。
同様に、白相機器側接続具２３Ｗを青相ケーブル側接続具３３Ｒに挿入しようとしても、白相機器側接続具２３Ｗの外径Ｄ３は青相ケーブル側接続具３３Ｂの青相挿入穴の開口面の径ｄ３よりも大きい（すなわち、Ｄ３＞ｄ３）ために挿入することができないので、白相機器側部２０Ｗを青相ケーブル側部３０Ｂに接続することはできない。
【００４０】
また、白相機器側接続具２３Ｗまたは青相機器側接続具２３Ｂを赤相ケーブル側接続具３３Ｒに挿入しても、白相機器側接続具２３Ｗの外径Ｄ３および青相機器側接続具２３Ｂの外径Ｄ５は赤相ケーブル側接続具３３Ｒの赤相挿入穴の底面の径ｄ１’よりも小さい（すなわち、Ｄ３＜ｄ１’，Ｄ５＜ｄ１’）ため、白相または青相引張バネ２２Ｗ，２２Ｂを伸ばして白相または青相機器側部２０Ｗ，２０Ｂを赤相ケーブル側部３０Ｒに接続しようとすると、白相または青相引張バネ２２Ｗ，２２Ｂの付勢力で容易に抜けてしまう。
同様に、青相機器側接続具２３Ｂを白相ケーブル側接続具３３Ｗに挿入しても、青相機器側接続具２３Ｂの外径Ｄ５は白相ケーブル側接続具３３Ｒの白相挿入穴の底面の径ｄ２’よりも小さい（すなわち、Ｄ５＜ｄ２’）ため、青相引張バネ２２Ｂを伸ばして青相機器側部２０Ｂを白相ケーブル側部３０Ｗに接続しようとすると、青相引張バネ２２Ｂの付勢力で容易に抜けてしまう。
【００４１】
さらに、図３（ａ）に示すように赤相、白相および青相機器側接続具２３Ｒ，２３Ｗ，２３Ｂと赤相、白相および青相ケーブル側接続具３３Ｒ，３３Ｂ，３３Ｗとがそれぞれ互いに対向するように配置すれば、赤相、白相および青相機器側部２０Ｒ，２０Ｗ，２０Ｂと赤相、白相および青相ケーブル側部３０Ｒ，３０Ｂ，３０Ｗとをそれぞれ直線的に接続することができる。
しかし、たとえば、図３（ｂ）に示すように白相および青相機器側接続具２３Ｗ，２３Ｂと白相および青相ケーブル側接続具３３Ｂ，３３Ｗとがそれぞれ互いに対向するように配置しないと、白相引張バネ２２Ｗと青相引張バネ２２Ｂとが交差した状態で白相および青相機器側部２０Ｗ，２０Ｂと白相および青相ケーブル側部３０Ｂ，３０Ｗとがそれぞれ接続するようになる。
【００４２】
次に、工事用開閉器１１０への付属ケーブル接続作業における誤結線防止具１０の使用方法について、図４（ａ），（ｂ）を参照して説明する。
なお、以下の説明では、工事用開閉器１１０は、直方体状の筐体１１１と、筐体１１１の一次側側面に並設された赤相、白相および青相一次側ブッシング１１２Ｒ，１１２Ｗ，１１２Ｂと、筐体１１１の二次側側面に並設された赤相、白相および青相二次側ブッシング１１３Ｒ，１１３Ｗ，１１３Ｂと、筐体１１１の一次側側面から突出するように設けられた一次側保護枠１１４と、筐体１１１の二次側側面から突出するように設けられた二次側保護枠１１５とを備えるものとする。
【００４３】
作業員は、誤結線防止具１０の赤相、白相および青相ケーブル側クリップ３１Ｒ，３１Ｗ，３１Ｂで赤相、白相および青相一次側付属ケーブル１２１Ｒ，１２１Ｗ，１２１Ｂの一端部（赤相、白相および青相一次側コネクタ１３１Ｒ，１３１Ｗ，１３１Ｂが取り付けられた側の端部）を挟むことにより、誤結線防止具１０を赤相、白相および青相一次側付属ケーブル１２１Ｒ，１２１Ｗ，１２１Ｂにそれぞれ取り付けておく（図４（ａ）参照）とともに、他の誤結線防止具１０の赤相、白相および青相ケーブル側クリップ３１Ｒ，３１Ｗ，３１Ｂで赤相、白相および青相二次側付属ケーブル１２２Ｒ，１２２Ｗ，１２２Ｂの一端部（赤相、白相および青相二次側コネクタ１３２Ｒ，１３２Ｗ，１３２Ｂが取り付けられた側の端部）をそれぞれ挟むことにより、他の誤結線防止具１０を赤相、白相および青相二次側付属ケーブル１２２Ｒ，１２２Ｗ，１２２Ｂにそれぞれ取り付けておく（図４（ｂ）参照）。
【００４４】
柱上において工事用開閉器１１０の一次側に赤相、白相および青相一次側付属ケーブル１２１Ｒ，１２１Ｗ，１２１Ｂを接続する際には、作業員は、図４（ａ）に示すように、誤結線防止具１０の赤相、白相および青相機器側クリップ２１Ｒ，２１Ｗ，２１Ｂで工事用開閉器１１０の一次側保護枠１１４を挟むことにより、誤結線防止具１０の赤相、白相および青相機器側部２０Ｒ，２０Ｗ，２０Ｂを工事用開閉器１１０に取り付ける。
このとき、作業員は、工事用開閉器１１０の赤相、白相および青相一次側ブッシング１１２Ｒ，１１２Ｗ，１１２Ｂの近傍にそれぞれ付された赤色、白色および青色表示等を参照して、誤結線防止具１０の赤相、白相および青相機器側クリップ２１Ｒ，２１Ｗ，２１Ｂを赤相、白相および青相一次側ブッシング１１２Ｒ，１１２Ｗ，１１２Ｂとそれぞれ互いに対向するように挟む。
【００４５】
その後、作業員は、工事用開閉器１１０の赤相、白相および青相一次側ブッシング１１２Ｒ，１１２Ｗ，１１２Ｂに赤相、白相および青相一次側コネクタ１３１Ｒ，１３１Ｗ，１３１Ｂをそれぞれ取り付けることにより、赤相、白相および青相一次側付属ケーブル１２１Ｒ，１２１Ｗ，１２１Ｂを赤相、白相および青相一次側ブッシング１１２Ｒ，１１２Ｗ，１１２Ｂにそれぞれ接続する。
【００４６】
その後、作業員は、誤結線防止具１０の赤相、白相および青相引張バネ２２Ｒ，２２Ｗ，２２Ｂを伸ばして赤相、白相および青相機器側接続具２３Ｒ，２３Ｗ，２３Ｂと赤相、白相および青相ケーブル側接続具３３Ｒ，３３Ｗ，３３Ｂとをそれぞれ接続していく。
【００４７】
その後、誤結線防止具１０の赤相、白相および青相引張バネ２２Ｒ，２２Ｗ，２２Ｂが交差していないか否かを調べることにより、作業員は、赤相、白相および青相一次側付属ケーブル１２１Ｒ，１２１Ｗ，１２１Ｂが工事用開閉器１１０の一次側に正しく接続されているか確認する。
【００４８】
その後、工事用開閉器１１０の二次側に赤相、白相および青相二次側付属ケーブル１２２Ｒ，１２２Ｗ，１２２Ｂを接続するために、作業員は、図４（ｂ）に示すように、他の誤結線防止具１０の赤相、白相および青相機器側クリップ２１Ｒ，２１Ｗ，２１Ｂで工事用開閉器１１０の二次側保護枠１１５を挟むことにより、他の誤結線防止具１０の赤相、白相および青相機器側部２０Ｒ，２０Ｗ，２０Ｂを工事用開閉器１１０に取り付ける。
このとき、作業員は、工事用開閉器１１０の赤相、白相および青相二次側ブッシング１１３Ｒ，１１３Ｗ，１１３Ｂの近傍にそれぞれ付された赤色、白色および青色表示等を参照して、他の誤結線防止具１０の赤相、白相および青相機器側クリップ２１Ｒ，２１Ｗ，２１Ｂを赤相、白相および青相二次側ブッシング１１３Ｒ，１１３Ｗ，１１３Ｂとそれぞれ互いに対向するように挟む
【００４９】
その後、作業員は、工事用開閉器１１０の赤相、白相および青相二次側ブッシング１１３Ｒ，１１３Ｗ，１１３Ｂに赤相、白相および青相二次側コネクタ１３２Ｒ，１３２Ｗ，１３２Ｂをそれぞれ取り付けることにより、赤相、白相および青相二次側付属ケーブル１２２Ｒ，１２２Ｗ，１２２Ｂを赤相、白相および青相二次側ブッシング１１３Ｒ，１１３Ｗ，１１３Ｂにそれぞれ接続する。
【００５０】
その後、作業員は、他の誤結線防止具１０の赤相、白相および青相引張バネ２２Ｒ，２２Ｗ，２２Ｂを伸ばして赤相、白相および青相機器側接続具２３Ｒ，２３Ｗ，２３Ｂと赤相、白相および青相ケーブル側接続具３３Ｒ，３３Ｗ，３３Ｂとをそれぞれ接続していく。
【００５１】
その後、作業員は、他の誤結線防止具１０の赤相、白相および青相引張バネ２２Ｒ，２２Ｗ，２２Ｂが交差していないか否かを調べて、赤相、白相および青相二次側付属ケーブル１２２Ｒ，１２２Ｗ，１２２Ｂが工事用開閉器１１０の二次側に正しく接続されているか確認する。
【００５２】
なお、赤相、白相および青相機器側クリップ２１Ｒ，２１Ｗ，２１Ｂを工事用開閉器１１０の赤相、白相および青相ブッシング（赤相、白相および青相一次側ブッシング１１２Ｒ，１１２Ｗ，１１２Ｂや赤相、白相および青相二次側ブッシング１１３Ｒ，１１３Ｗ，１１３Ｂ）に対応させて取り付け易くするために、赤相、白相および青相ブッシングの間隔と略同じ長さの赤白相および白青相連結紐４１，４２を用いて、図５に示すように赤白相連結紐４１によって赤相機器側クリップ２１Ｒと白相機器側クリップ２１Ｗとを繋げるとともに白青相連結紐４２によって白相機器側クリップ２１Ｗと青相機器側クリップ２１Ｂとを繋げてもよい。
【００５３】
以上の説明では、誤結線防止具１０の機器側取付具として、赤相、白相および青相機器側クリップ２１Ｒ，２１Ｗ，２１Ｂを用いたが、外面が赤色、白色および青色にされたカラビナおよびバンド等を用いてもよい。
同様に、誤結線防止具１０のケーブル側取付具として、赤相、白相および青相ケーブル側クリップ３１Ｒ，３１Ｗ，３１Ｂを用いたが、外面が赤色、白色および青色にされたカラビナおよびバンド等を用いてもよい。
【００５４】
また、誤結線防止具１０の伸縮具として、赤相、白相および青相引張バネ２２Ｒ，２２Ｗ，２２Ｂを用いたが、巻尺のようにして巻取部に収納されたテープや紐を任意の長さに引き出せる構成のテープ巻取具や紐巻取具等を用いてもよい。
【００５５】
誤結線防止具１０は、工事用開閉器への付属ケーブル接続作業だけでなく、高圧発電機車本体への高圧ケーブル接続作業や路上機器での応急送電ケーブル接続作業等にも使用することができる。
【符号の説明】
【００５６】
１０  誤結線防止具
２０Ｒ，２０Ｗ，２０Ｂ  赤相、白相および青相機器側部
２１Ｒ，２１Ｗ，２１Ｂ  赤相、白相および青相機器側クリップ
２２Ｒ，２２Ｗ，２２Ｂ  赤相、白相および青相引張バネ
２３Ｒ，２３Ｗ，２３Ｂ  赤相、白相および青相機器側接続具
２３ａＲ，２３ａＷ，２３ａＢ  赤相、白相および青相本体
２３ｂＲ，２３ｂＷ，２３ｂＢ  赤相、白相および青相バネ取付部材
３０Ｒ，３０Ｗ，３０Ｂ  赤相、白相および青相ケーブル側部
３１Ｒ，３１Ｗ，３１Ｂ  赤相、白相および青相ケーブル側クリップ
３２Ｒ，３２Ｗ，３２Ｂ  赤相、白相および青相紐
３３Ｒ，３３Ｗ，３３Ｂ  赤相、白相および青相ケーブル側接続具
４１，４２  赤白相および白青相連結紐
１１０  工事用開閉器
１１１  筐体
１１２Ｒ，１１２Ｗ，１１２Ｂ  赤相、白相および青相一次側ブッシング
１１３Ｒ，１１３Ｗ，１１３Ｂ  赤相、白相および青相二次側ブッシング
１１４，１１５  一次側および二次側保護枠
１２１Ｒ，１２１Ｗ，１２１Ｂ  赤相、白相および青相一次側付属ケーブル
１２２Ｒ，１２２Ｗ，１２２Ｂ  赤相、白相および青相二次側付属ケーブル
１３１Ｒ，１３１Ｗ，１３１Ｂ  赤相、白相および青相一次側コネクタ
１３２Ｒ，１３２Ｗ，１３２Ｂ  赤相、白相および青相二次側コネクタ
Ｄ１〜Ｄ６  外径
ｄ１〜ｄ３，ｄ１’〜ｄ３’  径
【図１】
2020114096.tif 000003
【図２】
2020114096.tif 000004
【図３】
2020114096.tif 000005
【図４】
2020114096.tif 000006
【図５】
2020114096.tif 000007